(57)【特許請求の範囲】
【請求項１】
映像信号によって中間周波搬送波を変調して中間周波信号を出力する変調器と、前記中間周波信号に残留側波帯特性を与えるためのＳＡＷフィルタとを有し、前記変調器と前記ＳＡＷフィルタとの間には群遅延時間補正回路を設け、前記変調器の前段には前記映像信号の振幅特性を変える映像振幅特性補正回路を設けたことを特徴とするテレビジョン信号送信機。
【請求項２】
前記映像振幅特性補正回路を第一のトラップ回路によって構成し、前記第一のトラップ回路の減衰極周波数と前記減衰極周波数における減衰量とを変えられるようにしたことを特徴とする請求項１に記載のテレビジョン信号送信機。
【請求項３】
前記群遅延時間補正回路をブリッジＴ型の第二のトラップ回路によって構成し、前記第二のトラップ回路の減衰極周波数と前記減衰極周波数における減衰量とを変えられるようにしたことを特徴とする請求項１又は２に記載のテレビジョン信号送信機。
【発明の詳細な説明】
【０００１】
【発明の属する技術分野】
本発明は、ＣＡＴＶシステム等に使用されるテレビジョン信号送信機に関する。
【０００２】
【従来の技術】
テレビジョン信号送信機の変調方式には中間周波搬送波を映像信号によって変調するＩＦ変調方式があるが、ＩＦ変調方式を用いた従来のテレビジョン信号送信機を図４によって説明する。
【０００３】
前置増幅器１１によって増幅された映像信号と局部発振器１２から出力された中間周波搬送波とが変調器１３に入力される。中間周波搬送波は映像信号によって振幅変調され、変調器１３から中間周波信号が出力される。中間周波信号は中間周波増幅器１４によって増幅され、次いで群遅延時間補正回路１５を経てＳＡＷフィルタ１６に入力される。
【０００４】
ＳＡＷフィルタ１６は中間周波数帯における中間周波信号に、テレビジョン信号の伝送に必要な残留側波帯特性を与えるための周波数特性（ナイキストスロープ）と包絡線遅延時間（群遅延時間）を有している。しかし、ＳＡＷフィルタ１６は中間周波数帯における個々の群遅延時間がばらつくので、それを群遅延時間補正回路１５によって補正している。群遅延時間補正回路１５は中間周波数帯よりも高い周波数のレベルを減衰するような伝送特性（振幅特性）を有している。
【０００５】
ＳＡＷフィルタ１６を通過した中間周波信号は図示しない周波数変換用の混合器に入力され、そこで送信すべきチャンネルのテレビジョン信号に周波数変換されて送信される。
【０００６】
【発明が解決しようとする課題】
以上のように、群遅延時間補正回路はＳＡＷフィルタの群遅延時間のばらつきを補正するので、群遅延時間補正回路の周波数特性が一定ではなくなり、受信機で復調したのちの映像信号の周波数特性もＳＡＷフィルタのばらつきに対応してばらつく。
【０００７】
そこで、本発明のテレビジョン信号送信機においては、群遅延時間の補正によって中間周波信号に含まれる映像信号の振幅特性が変化するのを予め変調前の映像信号の段階で振幅特性を補正することを目的とする。
【０００８】
【課題を解決するための手段】
本発明は、上記課題を解決するため、映像信号によって中間周波搬送波を変調して中間周波信号を出力する変調器と、前記中間周波信号に残留側波帯特性を与えるためのＳＡＷフィルタとを有し、前記変調器と前記ＳＡＷフィルタとの間には群遅延時間補正回路を設け、前記変調器の前段には前記映像信号の振幅特性を変える映像振幅特性補正回路を設けた。
【０００９】
また、前記映像振幅特性補正回路を第一のトラップ回路によって構成し、前記第一のトラップ回路の減衰極周波数と前記減衰極周波数における減衰量とを変えられるようにした。
【００１０】
また、前記群遅時間補正回路をブリッジＴ型の第二のトラップ回路によって構成し、前記第二のトラップ回路の減衰極周波数と前記減衰極周波数における減衰量とを変えられるようにした。
【００１１】
【発明の実施の形態】
本発明のテレビジョン信号送信機を図１に示す。先ず、変調信号となる映像信号はその伝送特性に所望の振幅特性を与えるための映像振幅特性補正回路１に入力される。映像振幅特性補正回路１は直並列共振回路からなる第一のトラップ回路等で構成され、映像信号の伝送路とグランドとの間に接続される。そして、第一のインダクタンス素子１ａと容量素子１ｂとによって並列共振回路が構成され、さらに、並列共振回路に直列に第二のインダクタンス素子１ｃが接続されて直列共振回路が構成される。また、並列共振回路にはダンピング用の抵抗１ｄが並列に接続される。
【００１２】
この構成によって映像振幅特性補正回路１は並列共振周波数とそれよりも周波数が高い直列共振周波数を持ち、例えば、図２に示すようなピーク周波数Ｆｐと減衰極周波数Ｆｓとを有する振幅特性となる、そして、ピーク周波数Ｆｐ、減衰極周波数Ｆｓ、及び減衰極周波数Ｆｓにおける減衰量を変えられるように、容量素子１ｂ、第二のインダクタンス素子１ｃ、抵抗１ｄ等の各定数が可変となっている。
【００１３】
映像振幅特性補正回路１を通過した映像信号は前置増幅器２によって所定レベルまで増幅され、次いで変調器３に入力される。また、局部発振器４から出力された中間周波搬送波も変調器３に入力される。変調器３では中間周波搬送波が映像信号によって振幅変調され、中間周波信号が出力される。中間周波信号は中間周波増幅器５によって増幅され、次いで群遅延時間補正回路６に入力される。
【００１４】
群遅延時間補正回路６は、図示のように周知のブリッジＴ型の第二のトラップ回路で構成され、次段のＳＡＷフィルタ７による群遅延時間のばらつきを、例えば可変容量素子６ａによって補正するためのものである。そして、図３に示すように、中間周波数帯（ＩＦ１〜ＩＦ２）の最高周波数よりも高い領域が減衰するように減衰極周波数ｆｓを有する特性となっている。また、減衰極周波数とその減衰量とが変えられるようになっている。
ＳＡＷフィルタ７はテレビジョン信号の伝送に必要な残留側波帯特性を中間周波数帯における中間周波信号に与えるための周波数特性（ナイキストスロープ）を持つ。この周波数特性によって中間周波信号の群遅延時間が変わるので、これを補正するために前述の群遅延時間補正回路６が設けられる。
【００１５】
ＳＡＷフィルタ７を通過した中間周波信号は図示しない周波数変換用の混合器に入力され、そこで送信すべきチャンネルのテレビジョン信号に周波数変換されて送信される。
【００１６】
以上の構成において、ＳＡＷフィルタ７による群遅延時間特性の変化を群遅延時間補正回路６の減衰極周波数ｆｓなどの調整によって補正する。その結果、中間周波信号の周波数特性が変わる。従って、中間周波信号に含まれる映像信号の振幅特性が変わる。そこで、この変化を映像振幅特性補正回路１によって変調前の映像信号の振幅特性を変えることによって補正する。
【００１７】
【発明の効果】
以上のように、本発明は映像信号によって中間周波搬送波を変調して中間周波信号を出力する変調器と、中間周波信号に残留側波帯特性を与えるためのＳＡＷフィルタとを有し、変調器とＳＡＷフィルタとの間には群遅延時間補正回路を設け、変調器の前段には映像信号の振幅特性を変える映像振幅特性補正回路を設けたので、群遅延時間の補正と映像信号の振幅特性の補正とを独立して行うことができる。
【００１８】
また、映像振幅特性補正回路を第一のトラップ回路によって構成し、第一のトラップ回路の減衰極周波数と減衰極周波数における減衰量とを変えられるようにしたので、群遅延時間の補正によって変わる映像信号の振幅特性を補正出来る。
【００１９】
また、群遅時間補正回路をブリッジＴ型の第二のトラップ回路によって構成し、第二のトラップ回路の減衰極周波数と減衰極周波数における減衰量とを変えられるようにしたので、簡単に群遅延時間の補正ができる。
【図面の簡単な説明】
【図１】本発明のテレビジョン信号送信機の構成を示す回路図である。
【図２】本発明のテレビジョン信号送信機における映像振幅特性補正回路の振幅特性図である。
【図３】本発明のテレビジョン信号送信機における群遅延時間補正回路の振幅特性図である。
【図４】従来のテレビジョン信号送信機の構成を示す回路図である。
【符号の説明】
１  映像振幅特性補正回路（第一のトラップ回路）
１ａ  第一のインダクタンス素子
１ｂ  容量素子
１ｃ  第二のインダクタンス素子
１ｄ  抵抗
２  前置増幅器
３  変調器
４  局部発振器
５  中間周波増幅器
６  群遅延時間補正回路（第二のトラップ回路）
６ａ  可変容量素子
７  ＳＡＷフィルタ
【図１】
0003901952.tif 000002
【図２】
0003901952.tif 000003
【図３】
0003901952.tif 000004
【図４】
0003901952.tif 000005